【手続補正書】
【提出日】平成17年8月25日(2005.8.25)
【手続補正１】
【補正対象書類名】明細書
【補正対象項目名】発明の名称
【補正方法】変更
【補正の内容】
【発明の名称】発光装置及びそれを用いた電子機器
【手続補正２】
【補正対象書類名】明細書
【補正対象項目名】特許請求の範囲
【補正方法】変更
【補正の内容】
【特許請求の範囲】
【請求項１】
直列に接続され、かつゲート電極が互いに接続された複数のトランジスタを含む駆動用素子と、
発光素子と、
前記駆動用素子と信号線の導通を制御する第１のスイッチと、
前記駆動用素子と電源線の導通を制御する第２のスイッチと、
前記駆動用素子と前記発光素子の導通を制御する第３のスイッチとを含む画素を複数個有し、
前記第１のスイッチ、前記第２のスイッチ及び前記第３のスイッチの各々のオンとオフは、同じ走査線を介して供給される信号により制御されることを特徴とする発光装置。
【請求項２】
直列に接続され、かつゲート電極が互いに接続された複数のトランジスタを含む駆動用素子と、
発光素子と、
前記駆動用素子と信号線の導通を制御する第１のスイッチと、
前記駆動用素子と電源線の導通を制御する第２のスイッチと、
前記駆動用素子と前記発光素子の導通を制御する第３のスイッチとを含む画素を複数個有し、
前記第１のスイッチのオンとオフは、第１の走査線を介して供給される信号により制御され、
前記第２のスイッチのオンとオフは、第２の走査線を介して供給される信号により制御され、
前記第３のスイッチのオンとオフは、第３の走査線を介して供給される信号により制御されることを特徴とする発光装置。
【請求項３】
直列に接続され、かつゲート電極が互いに接続された複数のトランジスタを含む駆動用素子と、
発光素子と、
前記駆動用素子と信号線の導通を制御する第１のスイッチと、
前記駆動用素子と電源線の導通を制御する第２のスイッチ及び第４のスイッチと、
前記駆動用素子と前記発光素子の導通を制御する第３のスイッチとを含む画素を複数個有し、
前記第１のスイッチ、前記第２のスイッチ、前記第３のスイッチ及び前記第４のスイッチの各々のオンとオフは、同じ走査線を介して供給される信号により制御されることを特徴とする発光装置。
【請求項４】
直列に接続され、かつゲート電極が互いに接続された複数のトランジスタを含む駆動用素子と、
発光素子と、
前記駆動用素子と信号線の導通を制御する第１のスイッチと、
前記駆動用素子と電源線の導通を制御する第２のスイッチ及び第４のスイッチと、
前記駆動用素子と前記発光素子の導通を制御する第３のスイッチとを含む画素を複数個有し、
前記第１のスイッチのオンとオフは、第１の走査線を介して供給される信号により制御され、
前記第２のスイッチのオンとオフは、第２の走査線を介して供給される信号により制御され、
前記第３のスイッチのオンとオフは、第３の走査線を介して供給される信号により制御され、
前記第４のスイッチのオンとオフは、第４の走査線を介して供給される信号により制御されることを特徴とする発光装置。
【請求項５】
請求項１又は請求項２において、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、かつ、前記第３のスイッチと前記複数のトランジスタがオンのとき、前記複数のトランジスタの各々と前記発光素子に、前記映像信号に基づく第２の電流が流れることを特徴とする発光装置。
【請求項６】
請求項１又は請求項２において、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、かつ、前記第３のスイッチと前記複数のトランジスタがオンのとき、前記複数のトランジスタの各々と前記発光素子に、前記映像信号に基づく第２の電流が流れ、
前記複数のトランジスタの個数ｎ（ｎは自然数）、前記第１の電流ＩW及び前記第２の電流ＩEは、ＩW＝ｎ2×ＩEを満たすことを特徴とする発光装置。
【請求項７】
請求項３又は請求項４において、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、かつ、前記第３のスイッチと前記複数のトランジスタがオンのとき、前記複数のトランジスタの各々と前記発光素子に、前記映像信号に基づく第２の電流が流れ、
前記第４のスイッチがオンのとき、前記複数のトランジスタはオフであることを特徴とする発光装置。
【請求項８】
請求項３又は請求項４において、
前記第１のスイッチ、前記第２のスイッチ及び前記複数のトランジスタがオンのとき、前記複数のトランジスタの各々に、前記画素に対する映像信号の入力に基づく第１の電流が流れ、
前記第１のスイッチと前記第２のスイッチがオフであり、かつ、前記第３のスイッチと前記複数のトランジスタがオンのとき、前記複数のトランジスタの各々と前記発光素子に、前記映像信号に基づく第２の電流が流れ、
前記第４のスイッチがオンのとき、前記複数のトランジスタはオフであり、
前記複数のトランジスタの個数ｎ（ｎは自然数）、前記第１の電流ＩW及び前記第２の電流ＩEは、ＩW＝ｎ2×ＩEを満たすことを特徴とする発光装置。
【請求項９】
請求項１乃至請求項８のいずれか１項において、
前記第１のスイッチは、少なくとも２つのトランジスタを含むことを特徴とする発光装置。
【請求項１０】
請求項１乃至請求項８のいずれか１項において、
前記第２のスイッチは、少なくとも１つのトランジスタを含むことを特徴とする発光装置。
【請求項１１】
請求項１乃至請求項８のいずれか１項において、
前記第３のスイッチは、少なくとも１つのトランジスタを含むことを特徴とする発光装置。
【請求項１２】
請求項３、請求項４、請求項７又は請求項８のいずれか１項において、
前記第４のスイッチは、少なくとも１つのトランジスタを含むことを特徴とする発光装置。
【請求項１３】
請求項１乃至請求項１２のいずれか１項において、
前記複数のトランジスタのゲート電極の電位を保持する容量素子を有することを特徴とする発光装置。
【請求項１４】
請求項１乃至請求項１３のいずれか１項において、
前記複数のトランジスタは、ｎチャネル型であることを特徴とする発光装置。
【請求項１５】
請求項１乃至請求項１３のいずれか１項において、
前記複数のトランジスタは、ｐチャネル型であることを特徴とする発光装置。
【請求項１６】
請求項１乃至請求項１５のいずれか１項において、
前記画素を駆動する信号線駆動回路と走査線駆動回路を有することを特徴とする発光装置。
【請求項１７】
請求項１乃至請求項１５のいずれか１項において、
前記画素を駆動する信号線駆動回路と走査線駆動回路を有し、
前記画素、前記信号線駆動回路及び前記走査線駆動回路は、同じ基板上に設けられていることを特徴とする発光装置。
【請求項１８】
請求項１６又は請求項１７において、
前記信号線駆動回路は、電圧形式の映像信号を電流形式の映像信号に変換する動作又は電圧形式のビデオ信号を増幅する動作を行う電圧電流変換回路を有することを特徴とする発光装置。
【請求項１９】
請求項１乃至請求項１８のいずれか一項において、
前記発光素子は、有機発光ダイオードであることを特徴とする発光装置。
【請求項２０】
請求項１乃至請求項１９のいずれか一項に記載の発光装置を用いた電子機器。
【手続補正３】
【補正対象書類名】明細書
【補正対象項目名】０１０１
【補正方法】変更
【補正の内容】
【０１０１】
（実施の形態３）
実施の形態３では、本発明の表示装置、発光装置における画素の平面レイアウト（上面図）例を提示する。本例の画素回路は、図２（Ｂ）に示した画素回路である。
【手続補正４】
【補正対象書類名】明細書
【補正対象項目名】０１０２
【補正方法】変更
【補正の内容】
【０１０２】
図７には、j行i列目の画素１１を示す。図７において、二点破線で囲んだ領域が画素１１に相当する。点模様の領域は、ポリシリコン膜である。右上り斜線と右下り二重斜線は、それぞれ別の層の導電体膜（金属膜等）である。バツ印は層間の接触点を示す。そして、チェック模様の領域８６は発光素子８４の陽極に相当する。
【手続補正５】
【補正対象書類名】明細書
【補正対象項目名】０１１５
【補正方法】変更
【補正の内容】
【０１１５】
次いで、信号線駆動回路１８０３の例を、図８（Ｃ）を用いて説明する。図８（Ｃ）に示す信号線駆動回路１８０３は、シフトレジスタ１８３１、第１のラッチ回路１８３２、第２のラッチ回路１８３３、電圧電流変換回路１８３４を有している。